(57)【要約】【課題】  ＡＬＣパネルに取付金具収納用の切り込み部を加工する必要がなく、ＡＬＣパネルのＨ形鉄骨梁への取付けが容易で施工効率の良いＡＬＣパネルの取付具、及び取付構造を提供する。【解決手段】  Ｈ形鉄骨梁２の上部フランジ部２ａに嵌合される挟持部１１と、挟持部１１の反対側に突き出してＡＬＣパネルをネジ止め固定するための突出部１２とからなる取付金物１０、及び隣接する取付金物１０の間に配置されて上部フランジ部２ａの表面に固定される板状部材１３によって構成され、上部フランジ部２ａに固定された状態での取付金物１０と板状部材１３の表面が面一のパネル載置面となる。【選択図】      図２
2006002455.tif 000002
【特許請求の範囲】
【請求項１】
建物駆体のＨ形鉄骨梁にＡＬＣパネルを取付けるための取付具であって、Ｈ形鉄骨梁のフランジ部に嵌合される挟持部と、該挟持部の反対側に突き出してＡＬＣパネルをネジ止め固定するための突出部とからなる取付金物、及び隣接する取付金物の間に配置されてフランジ部表面に固定される板状部材により構成され、フランジ部に固定された状態での取付金物と板状部材の表面が面一のパネル載置面となることを特徴とするＡＬＣパネルの取付具。
【請求項２】
前記取付金物において、Ｈ形鉄骨梁のフランジ部に嵌合する挟持部は断面略Ｕ字状の嵌合溝を形成する２つの挟持片を有し、突出部は挟持部の表側挟持片から突き出し且つ該表側挟持片と厚みが同一であって、挟持部の表側挟持片表面と突出部の表面が面一の連続面をなすことを特徴とする、請求項１に記載のＡＬＣパネルの取付具。
【請求項３】
前記取付金物の表側挟持片と突出部の厚み及び板状部材の厚みが同一であり、１.２〜２.６ｍｍの範囲内にあることを特徴とする、請求項１又は２に記載のＡＬＣパネルの取付具。
【請求項４】
請求項１〜３に記載の取付具を用いてＡＬＣパネルを建物駆体のＨ形鉄骨梁に取付けたＡＬＣパネルの取付構造であって、取付金物が挟持部によりＨ形鉄骨梁のフランジ部に嵌合固定されると共に、隣接する取付金物の間のフランジ部表面に板状部材が固定され、且つ取付金物と板状部材の表面により形成された面一のパネル載置面上にＡＬＣパネルが載置されると共に、そのＡＬＣパネルが取付金物の突出部にネジ止め固定されていることを特徴とするＡＬＣパネルの取付構造。
【発明の詳細な説明】
【技術分野】
【０００１】
本発明は、建物駆体のＨ形鉄骨梁に床用又は屋根用などのＡＬＣパネルを取付けるための取付具、及びその取付具を用いて建物駆体のＨ形鉄骨梁に取付けたＡＬＣパネルの取付構造に関する。
【背景技術】
【０００２】
従来から床用又は屋根用のＡＬＣパネルは、取付金具を用いて建物駆体のＨ形鉄骨梁に取付固定されている。かかるＡＬＣパネルの取付に用いる取付金具としては、特開平２０００−２７３９９６号公報、特開平１１−１６６２８２号公報、特開平９−２８７２２９号公報、及び特開平８−２０９８３２号公報に記載のものが知られている。
【０００３】
例えば、特開平２０００−２７３９９６号公報及び特開平１１−１６６２８２号公報には、図５〜６に示すように、平板部１ａと嵌合部１ｂを有する断面略コ字状の金属板からなり、その嵌合部１ｂがＨ形鉄骨梁の上部フランジ部２ａに嵌合される取付金具１が記載されている。この取付金具１は、嵌合部１ｂでＨ形鉄骨梁２の上部フランジ部２ａに嵌合された状態で、平板部１ａにＡＬＣパネル３を載せて平板部１ａにネジ４で固定するようになっている。
【０００４】
しかし、この取付金具１の場合、Ｈ形鉄骨梁２に嵌合固定したとき、上部フランジ部２ａの表面との間に段差ができるため、ＡＬＣパネル３の端部は取付金具１の平板部１ａに載置されるが、その他の部分では上部フランジ部２ａとＡＬＣパネル３の間に隙間が生じてしまう。そこで、この隙間をなくため、図６に示すように、ＡＬＣパネル３の裏面に、取付金具１を収納するＵ字溝型の切り込み部３ａを予め加工する必要があった。また、ＡＬＣパネル３には、ネジ４を挿通するためのネジ用孔３ｂも加工されていた。
【０００５】
また、特開平９−２８７２２９号公報に記載の取付金具５は、図７〜８に示すように、平板支持部５ａと、平板支持部５ａから面一に突き出た平板支持片部５ｂと、この平板支持片部５ｂの両側に平板支持部５ａから湾曲して延長した２つの圧接片部５ｃとからなり、平板支持片部５ｂと圧接片部５ｃの間にＨ形鉄骨梁２の上部フランジ部２ａを圧接挟持するようになっている。しかし、この取付金具５の場合も、ＡＬＣパネル３を載せてネジ４で固定した平板支持部５ａと上部フランジ部２ａの表面の間に段差ができるため、ＡＬＣパネル３の裏面に取付金具５を収納する切り込み部３ａが予め加工されていた。
【０００６】
更に、特開平８−２０９８３２号公報に記載の取付金具６は、図９〜１０に示されるように、Ｈ形鉄骨梁２の上部フランジ部２ａを挟持する上部係止片６ａ及び下部係止片６ｂと、両者の連結部に固定された板状部６ｃと、下部係止片６ｂに螺合された固定用ボルト７とからなる。しかし、この取付金具６においても、ＡＬＣパネル３を載せてネジ４で固定した板状部６ｃ及び上部フランジ部２ａの表面と、上部係止片６ａとの間に段差ができるため、ＡＬＣパネル３の裏面に上部係止片６ａを収納する切り込み部３ａが予め加工されていた。
【０００７】
このように、従来のＡＬＣパネルの取付金具においては、Ｈ形鉄骨梁のフランジ部に取付けたとき、そのままでは取付金具の最上部とフランジ部の表面との間に段差が生じてしまうため、ＡＬＣパネルの裏面に取付金具を収納する切り込み部を予め加工しておき、ＡＬＣパネル裏面とフランジ部表面の間に隙間が発生することを防ぐ必要があった。
【０００８】
【特許文献１】特開平２０００−２７３９９６号公報
【特許文献２】特開平１１−１６６２８２号公報
【特許文献３】特開平９−２８７２２９号公報
【特許文献４】特開平８−２０９８３２号公報
【発明の開示】
【発明が解決しようとする課題】
【０００９】
上記したように、従来のＡＬＣパネルの取付金具においては、Ｈ形鉄骨梁のフランジ部に取付けたとき、取付金具の最上部とフランジ部の表面との間に生じる段差をなくすため、ＡＬＣパネルの裏面に取付金具を収納する切り込み部を予め加工していた。そのため、ＡＬＣパネルに切り込み部を設けるための加工設備等が必要になり、加工コストも高くなるという問題があった。
【００１０】
本発明は、このような従来の事情に鑑み、ＡＬＣパネルに取付金具収納用の切り込み部を加工する必要がなく、従ってＡＬＣパネルの製造原価を低減できると共に、ＡＬＣパネルのＨ形鉄骨梁への取付けが容易であり、施工効率の良いＡＬＣパネルの取付具、及び取付構造を提供することを目的とする。
【課題を解決するための手段】
【００１１】
上記目的を達成するため、本発明が提供する建物駆体のＨ形鉄骨梁にＡＬＣパネルを取付けるための取付具は、Ｈ形鉄骨梁のフランジ部に嵌合される挟持部と、該挟持部の反対側に突き出してＡＬＣパネルをネジ止め固定するための突出部とからなる取付金物、及び隣接する取付金物の間に配置されてフランジ部表面に固定される板状部材により構成され、フランジ部に固定された状態での取付金物と板状部材の表面が面一のパネル載置面となることを特徴とする。
【００１２】
上記本発明に係わる前記取付金物においては、Ｈ形鉄骨梁のフランジ部に嵌合する挟持部は断面略Ｕ字状の嵌合溝を形成する２つの挟持片を有し、突出部は挟持部の表側挟持片から突き出し且つ該表側挟持片と厚みが同一であって、挟持部の表側挟持片表面と突出部の表面が面一の連続面をなすことが好ましい。また、前記取付金物の表側挟持片と突出部の厚み及び板状部材の厚みが全て同一であり、１.２〜２.６ｍｍの範囲内にあることが好ましい。
【００１３】
本発明は、また、上記した取付具を用いてＡＬＣパネルを建物駆体のＨ形鉄骨梁に取付けたＡＬＣパネルの取付構造であって、取付金物が挟持部によりＨ形鉄骨梁のフランジ部に嵌合固定されると共に、隣接する取付金物の間のフランジ部表面に板状部材が固定され、且つ取付金物と板状部材の表面により形成された面一のパネル載置面上にＡＬＣパネルが載置されると共に、そのＡＬＣパネルが取付金物の突出部にネジ止め固定されていることを特徴とするＡＬＣパネルの取付構造を提供するものである。
【発明の効果】
【００１４】
本発明の取付具によれば、取付金物と板状部材で面一に構成されるパネル載置面上にＡＬＣパネルを載置固定するため、ＡＬＣパネルに取付金物を収納するための切り込み部を予め加工する必要がなく、製造工程の簡素化と生産効率の改善により、ＡＬＣパネルの製造原価を低減することができる。また、Ｈ形鉄骨梁への取付金物の固定、及び取付金物へのＡＬＣパネルの取付けが容易であるから、施工効率が改善向上し、施工コストを削減することができる。
【発明を実施するための最良の形態】
【００１５】
本発明におけるＡＬＣパネルの取付具は、挟持部でＨ形鉄骨梁のフランジ部に嵌合され且つ挟持部の反対側に設けた突出部にＡＬＣパネルをネジ止め固定する取付金物と共に、この取付金物をフランジ部に嵌合したとき、隣接する取付金物の間に配置してフランジ部表面に固定される板状部材を備え、この板状部材の表面とフランジ部に固定された取付金物の表面とが面一となる。
【００１６】
従って、取付金物と板状部材の両表面によって面一のパネル載置面が構成されるので、ＡＬＣパネルに取付金物を収納して段差を解消するための切り込み部を加工する必要がない。取付金物と板状部材の両表面により面一のＡＬＣパネル載置面を構成するためには、取付金物の表側挟持片と突出部の厚み及び板状部材の厚みを全て同一にすることが好ましい。
【００１７】
特に、取付金物の突出部の厚みを１.２〜２.６ｍｍの範囲に設定すれば、ＡＬＣパネルだけでなく突出部にもタッピンネジを簡単に貫通させて螺合することができるので、ＡＬＣパネルにネジ用孔を加工する必要がないうえ、ＡＬＣパネルの取付けが極めて容易になる。尚、この場合にも、取付金物の表側挟持片と板状部材の厚みは、上記突出部の厚みと同一であることが好ましい。
【００１８】
本発明によるＡＬＣパネルの取付具及び取付構造を、図１〜４に基づいて具体的に説明する。この取付具は、図１に示すように、１枚の矩形の金属板を加工して製造した取付金物１０と、細長い板状部材１３とからなる。取付金物１０は、Ｈ形鉄骨梁のフランジ部に嵌合される挟持部１１と、挟持部１１の反対側に突き出してＡＬＣパネルをネジ止め固定するための突出部１２とからなる。そして、この挟持部１１は断面略Ｕ字状の嵌合溝１１ｃを形成する２つの挟持片１１ａ、１１ｂで構成されていて、この嵌合溝１１ｃにＨ形鉄骨梁の上部フランジ部２ａが嵌合されるようになっている。
【００１９】
また、取付金物１０の突出部１２は、挟持部１１の反対側（嵌合溝１１ｃの開口に対し反対側）に向かって、挟持部１１の表側挟持片１１ａから突き出している。そして、この表側挟持片１１ａの表面と突出部１２の表面とによって、ＡＬＣパネル載置面の一部となる面一の連続面が形成される。この取付金物１０は、突出部１２と表側挟持片１１ａの厚みが同一であることが好ましく、例えば、１枚のほぼ矩形をなす金属板を１辺の２ヶ所からほぼ中央部まで切断し、その両側部分を反対側に折り曲げて嵌合溝１１ｃを形成するように加工して製造することができる。
【００２０】
一方、本発明の取付具における板状部材１３は、図２に示すように、取付金物１０の挟持部１１をＨ形鉄骨梁２の上部フランジ部２ａに嵌合したとき、隣接する取付金物１０の間に配置されて上部フランジ部２ａの表面に固定される。このとき、取付金物１０の表面（連続面）と板状部材１３の表面が互いに面一のパネル載置面となるように、両者の厚さを調整する。例えば、板状部材１３の厚みを、上記した取付金物１０における表側挟持片１１ａ及び突出部１２と同一の厚みとすることが好ましい。
【００２１】
Ｈ形鉄骨梁２の上部フランジ部２ａに嵌合固定した本発明の取付具では、図２に示すように、取付具の取付金物１０と板状部材１３の表面が面一のＡＬＣパネル載置面となる。従って、図３に示すように、面一をなすＡＬＣパネル載置面上にＡＬＣパネル３を載せたとき、ＡＬＣパネル３と取付金物１０との間に段差が生じないため、ＡＬＣパネル３の裏面に取付金物１０や板状部材１３を収納する切り込み部を予め設ける必要がない。
【００２２】
取付金物１０と板状部材１３のＡＬＣパネル載置面上に載せたＡＬＣパネル３は、取付金物１０の突出部１２にネジ止めにより、好ましくはタッピンネジ１４により固定される。タッピンネジ１４の場合、スクリュードライバなどを用いて打ち込めば、ＡＬＣパネル３と取付金物１０の突出部１２を貫通してネジ止めできるので、ＡＬＣパネル３及び突出部１２に予め挿通用の孔を設けておく必要がない。尚、タッピンネジ１４を用いる場合には、突出部の厚みを１.２〜２.６ｍｍの範囲内にすれば、突出部の貫通が容易であるため好ましい。
【００２３】
また、取付金物１０は挟持部１１によってＨ形鉄骨梁２の上部フランジ部２ａに嵌合固定されるが、上部フランジ部２ａに確実に固定して移動や抜けを防止するため、図４に示すように、挟持部１１の裏側挟持片１１ｂに、表側挟持片１１ａの方向に突き出た固定用突起を設けることができる。固定用突起としては、具体的には、図４（ａ）に示す円形の突起１５、図４（ｂ）に示す矩形の突起１６、及び図４（ｃ）に示すリブ形の突起などがある。
【００２４】
取付金物１０は金属製であるから、Ｈ形鉄骨梁２の上部フランジ部２ａに嵌合した後、上部フランジ部２ａに溶接して固定することも可能である。一方、板状部材１３は、金属のほか、スレートなどの不燃材を用いることもできる。尚、板状部材１３をＨ形鉄骨梁２の上部フランジ部２ａに固定するには、板状部材１３が金属製の場合は溶接又は接着材により、不燃材の場合は接着材による。
【００２５】
更に、取付金物１０の厚みが比較的薄い場合には、取付金物１０の強度を高めるために、図４（ｃ）に示すように、突起部１２から挟持部１１の表側挟持片１１ａにかけて連続したリブ１８を、裏側挟持片１１ｂの方向に突き出して設けることが好ましい。尚、リブ１８を裏側挟持片１１ｂの方向に突き出して設けるのは、表側挟持片１１ａの方向に突き出すとＡＬＣパネル載置面に凹凸が生じ、ＡｌＣパネルの固定に支障を来たす場合があるからである。
【００２６】
次に、本発明の取付金物１０と板状部材１３からなる取付具を用いて、Ｈ形鉄骨梁２の上部フランジ部２ａにＡＬＣパネルを取付ける手順について説明する。まず、図２に示すように、取付金物１０をＨ形鉄骨梁２の上部フランジ部２ａの所定位置に嵌合させ、次に隣接する取付金物１０の間に板状部材１３を配置して上部フランジ部２ａに固定する。その取付金物１０と板状部材１３により形成された面一のＡＬＣパネル載置面上に、図３に示すように、ＡＬＣパネル３を敷設し、ＡＬＣパネル３の表面上にタッピンネジ１４の打ち込み位置に墨出しする。その後、ＡＬＣパネル３の表面側から、スクリュードライバなどを使用してタッピングネジ１４を打ち込み、ＡＬＣパネル３を取付金物１０の突出部１２に固定する。
【００２７】
このようにして、取付金物１０が挟持部１１によりＨ形鉄骨梁２の上部フランジ部２ａに嵌合固定されると共に、図３に示すように、隣接する取付金物１０の間の上部フランジ部２ａの表面に板状部材１３が固定され、この取付金物１０と板状部材１３の表面によって面一のＡＬＣパネル載置面が構成されており、このパネル載置面上に載置されたＡＬＣパネル３が取付金物１０の突出部１２にネジ止め固定されたＡＬＣパネルの取付構造が得られる。
【図面の簡単な説明】
【００２８】
【図１】本発明によるＡＬＣパネルの取付具の一実施例を示す斜視図であり、（ａ）は取付金物及び（ｂ）は板状部材である。
【図２】図１の取付金物と板状部材をＨ形鉄骨梁の上部フランジ部に設置した状態を示す概略の斜視図である。
【図３】図１の取付具によるＡＬＣパネルの取付構造を示す概略の断面図である。
【図４】固定用突起を設けた図１の取付金物の具体例を示す斜視図であり、（ａ）は円形の突起、（ｂ）は矩形の突起、及び（ｃ）はリブ形の突起である。
【図５】従来のＡＬＣパネル取付金具の一具体例を示す斜視図である。
【図６】図５の取付金具によるＡＬＣパネルの取付構造を示す概略の断面図である。
【図７】従来のＡＬＣパネル取付金具の別の具体例を示す斜視図である。
【図８】図７の取付金具によるＡＬＣパネルの取付構造を示す概略の断面図である。
【図９】従来のＡＬＣパネル取付金具の更に別の具体例を示す斜視図である。
【図１０】図７の取付金具によるＡＬＣパネルの取付構造を示す概略の断面図である。
【符号の説明】
【００２９】
１、５、６        取付金具
２        Ｈ形鉄骨梁
２ａ      上部フランジ部
３        ＡＬＣパネル
３ａ      切り込み部
４        ネジ
１０        取付金物
１１        挟持部
１１ａ      表側挟持片
１１ｂ      裏側挟持片
１１ｃ      嵌合溝
１２        突出部
１３        板状部材
１４        タッピンネジ
【図１】
2006002455.tif 000003
【図２】
2006002455.tif 000004
【図３】
2006002455.tif 000005
【図４】
2006002455.tif 000006
【図５】
2006002455.tif 000007
【図６】
2006002455.tif 000008
【図７】
2006002455.tif 000009
【図８】
2006002455.tif 000010
【図９】
2006002455.tif 000011
【図１０】
2006002455.tif 000012